【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられた遊技用装置であって、
取り込んだ遊技媒体を計数するための計数手段と、
該計数手段が計数した計数遊技媒体数を記憶する記憶手段と、
該記憶手段に記憶されている計数遊技媒体数を表示する表示手段と、
前記記憶手段に記憶されている計数遊技媒体数の範囲内の遊技媒体を払出すための払出処理を行う払出処理手段と、
前記払出処理手段により払出された遊技媒体数を、前記記憶手段に記憶されている計数遊技媒体数から減算更新する減算更新手段と、
計数された当日においてのみ前記計数遊技媒体数が有効とされる一般用計数記録媒体または計数された当日後においても前記計数遊技媒体数が有効とされる会員用計数記録媒体を受付けて、該受付けた一般用計数記録媒体または会員用計数記録媒体の記録情報から特定した計数遊技媒体数を前記記憶手段に記憶されている計数記憶媒体数に加算する加算更新手段と、
前記会員用計数記録媒体が受付けられていない場合に排出操作が行われることで前記記憶手段に記憶されている計数遊技媒体数を特定可能な情報が記録された前記一般用計数記録媒体を排出し、前記会員用計数記録媒体が受付けられている場合に前記排出操作が行われることで前記記憶手段に記憶されている計数遊技媒体数を特定可能な情報が記録された前記会員用計数記録媒体を排出する記録媒体排出手段と、
前記遊技用装置を管理する管理装置から営業終了に際して送信される営業終了時処理要求を受信する終了時処理要求受信手段と、
前記記憶手段に記憶されている計数遊技媒体数を無効とする無効化手段と、
を備え、
前記営業終了時処理要求を受信した場合に、前記会員用計数記録媒体が受付けられている場合には、前記記憶手段に記憶されている計数遊技媒体数を特定可能な情報が記録された前記会員用計数記録媒体を排出する一方、前記会員用記録媒体が受け付けられていない場合には、前記一般用計数記録媒体を排出することなく前記無効化手段により前記記憶手段に記憶されている計数遊技媒体数を無効とする
ことを特徴とする遊技用装置。
【手続補正２】
【補正対象書類名】明細書
【補正対象項目名】０００８
【補正方法】変更
【補正の内容】
【０００８】
前記課題を解決するために、本発明の請求項１に記載の遊技用装置は、
遊技機（パチンコ機２）に１対１に対応して設けられた遊技用装置（カードユニット３）であって、
取り込んだ遊技媒体（パチンコ玉）を計数するための計数手段（制御部３５０，制御ユニット３２８；計数情報処理、ＳＳ４）と、
該計数手段が計数した計数遊技媒体数（持玉数（計数済玉数））を記憶する記憶手段（ＲＡＭ３２８ｂ；カードテーブル）と、
該記憶手段に記憶されている計数遊技媒体数を表示する表示手段（表示部３１２）と、
前記記憶手段に記憶されている計数遊技媒体数の範囲内の遊技媒体を払出すための払出処理を行う払出処理手段（制御ユニット３２８；払出処理、Ｓｈ５、Ｓｈ８、Ｓｈ１０）と、
前記払出処理手段により払出された遊技媒体数を、前記記憶手段に記憶されている計数遊技媒体数から減算更新する減算更新手段（制御ユニット３２８；払出処理、Ｓｈ５、Ｓｈ８、Ｓｈ１０）と、
計数された当日においてのみ前記計数遊技媒体数が有効とされる一般用計数記録媒体または計数された当日後においても前記計数遊技媒体数が有効とされる会員用計数記録媒体を受付けて、該受付けた一般用計数記録媒体または会員用計数記録媒体の記録情報から特定した計数遊技媒体数を前記記憶手段に記憶されている計数記憶媒体数に加算する加算更新手段と、
前記会員用計数記録媒体が受付けられていない場合に排出操作が行われることで前記記憶手段に記憶されている計数遊技媒体数を特定可能な情報が記録された前記一般用計数記録媒体を排出し、前記会員用計数記録媒体が受付けられている場合に前記排出操作が行われることで前記記憶手段に記憶されている計数遊技媒体数を特定可能な情報が記録された前記会員用計数記録媒体を排出する記録媒体排出手段と、
前記遊技用装置を管理する管理装置（管理コンピュータ１５０）から営業終了に際して送信される営業終了時処理要求を受信する終了時処理要求受信手段（通信部３３４）と、
前記記憶手段に記憶されている計数遊技媒体数を無効とする無効化手段と、
を備え、
前記営業終了時処理要求を受信した場合に、前記会員用計数記録媒体が受付けられている場合には、前記記憶手段に記憶されている計数遊技媒体数を特定可能な情報が記録された前記会員用計数記録媒体を排出する一方、前記会員用記録媒体が受け付けられていない場合には、前記一般用計数記録媒体を排出することなく前記無効化手段により前記記憶手段に記憶されている計数遊技媒体数を無効とする
ことを特徴としている。
この特徴によれば、営業終了に際して管理装置から営業終了時処理要求を送信するのみで、遊技用装置に存在する計数遊技媒体数が無効とされるようになるので、遊技用装置から排出されたカードを巡回探索して回収する必要や、回収したカードをカード処理機に持参して１枚づつ挿入する必要がなく、営業終了時における作業負荷や作業時間を低減することができる。
【手続補正３】
【補正対象書類名】明細書
【補正対象項目名】０００９
【補正方法】変更
【補正の内容】
【０００９】
本発明の手段１に記載の遊技用装置は、請求項１に記載の遊技用装置であって、
前記計数遊技媒体数（持玉数（計数済玉数））を特定可能な計数遊技媒体数特定情報（（会員）カードＩＤ、持玉数データ）が記録された計数記録媒体（ビジターカード、会員カード）を排出する排出処理（制御ユニット３２８；返却処理（Ｓｂ２３）、カードリーダライタ３２７）と、前記計数記録媒体を受付けて、該受付けた計数記録媒体に記録されている前記計数遊技媒体数特定情報から特定した計数遊技媒体数を前記記憶手段（ＲＡＭ３２８ｂ；カードテーブル）に記憶する記憶処理とを実行する計数記録媒体処理手段（制御ユニット３２８；カード受付け処理（Ｓｂ２０）、カードリーダライタ３２７）と、
前記計数記録媒体処理手段に受付け中の計数記録媒体（ビジターカード）に記録されている前記計数遊技媒体数特定情報から特定される計数遊技媒体数が存在するか否かを判定する判定手段（制御ユニット３２８；計数無効化処理、Ｓｄ６）と、
を備え、
前記無効化処理手段は、前記判定手段において存在すると判定されたときに、前記計数記録媒体処理手段に受付け中の計数記録媒体に記録されている前記計数遊技媒体数特定情報から特定される計数遊技媒体数を無効化する記録無効化処理（Ｓｄ７）を含む前記無効化処理（計数無効化処理）を実行することを特徴としている。
この特徴によれば、受付け中の計数記録媒体に存在している計数遊技媒体数についても、該計数記録媒体が遊技用装置から排出されることなく無効化されるようになるので、遊技用装置から排出されたカードを巡回探索して回収する必要や、回収したカードをカード処理機に持参して１枚づつ挿入する必要がなく、営業終了時における作業負荷や作業時間を一層低減することができる。
【手続補正４】
【補正対象書類名】明細書
【補正対象項目名】００１０
【補正方法】変更
【補正の内容】
【００１０】
本発明の手段２に記載の遊技用装置は、手段１に記載の遊技用装置であって、
前記計数記録媒体には、計数された当日においてのみ前記計数遊技媒体数（持玉数）が有効とされる一般用計数記録媒体（ビジターカード）であるか、或いは、計数された当日後においても前記計数遊技媒体数が有効とされる会員用計数記録媒体（会員カード）であるかを識別可能な記録媒体種別情報（（会員）カードＩＤ、会員ＩＤ）が記録され、
前記無効化処理手段（制御ユニット３２８；計数無効化処理）は、前記計数記録媒体処理手段に受付け中の計数記録媒体に記録されている前記記録媒体種別情報に基づいて、該受付け中の計数記録媒体が前記一般用計数記録媒体であると識別したときに（Ｓｄ５でＹｅｓ）前記記録無効化処理（Ｓｄ７）を実行する一方、該受付け中の計数記録媒体が前記会員用計数記録媒体であると識別したとき（Ｓｄ５でＮｏ）に、前記記録無効化処理（Ｓｄ７）を実行することなく該会員用計数記録媒体を前記計数記録媒体処理手段（カードリーダライタ３２７）から排出させることを特徴としている。
この特徴によれば、例え、遊技用装置に会員用計数記録媒体が忘れられていたとしても、該会員用計数記録媒体の計数遊技媒体数が無効とされて会員が不利益を被ることがないので、営業終了時処理要求の送信に際して、遊技用装置に会員用計数記録媒体が忘れられていないかを確認して排出する必要がなく、営業終了時における作業負荷や作業時間を一層低減することができるとともに、これら忘れられていた会員用計数記録媒体が自動的に排出されるので、該会員用計数記録媒体の回収を簡便に行うこともできる。
【手続補正５】
【補正対象書類名】明細書
【補正対象項目名】００１１
【補正方法】変更
【補正の内容】
【００１１】
本発明の手段３に記載の遊技用装置は、手段２に記載の遊技用装置であって、
前記計数記録媒体処理手段（カードリーダライタ３２７）は、前記一般用計数記録媒体（ビジターカード）を貯留する計数記録媒体貯留部（カード貯留部３７０）を有し、
前記無効化処理手段（制御ユニット３２８；計数無効化処理）は、前記記録無効化処理（Ｓｄ７）において前記計数遊技媒体数特定情報から特定される計数遊技媒体数を無効化した一般用計数記録媒体（ビジターカード）を前記計数記録媒体貯留部に回収させる（Ｓｄ１２）ことを特徴としている。
この特徴によれば、受付け中の一般用計数記録媒体が存在しないときに、排出処理において使用される一般用計数記録媒体を外部から供給する必要がないので、これら排出処理における排出を迅速に実施することができるとともに、無効化された一般用計数記録媒体が排出されずに計数記録媒体貯留部に回収されるので、無効化されて排出された一般用計数記録媒体を遊技用装置から回収する手間も、該排出された一般用計数記録媒体を補充する手間も解消することができる。
【手続補正６】
【補正対象書類名】明細書
【補正対象項目名】００１２
【補正方法】変更
【補正の内容】
【００１２】
本発明の手段４に記載の遊技用装置は、手段３に記載の遊技用装置であって、
前記一般用計数記録媒体（ビジターカード）には、遊技に使用可能な遊技用価値（プリペイド残額）の大きさを特定可能な遊技用価値特定情報（カードＩＤ、プリペイド残額データ）が記録されており、該遊技用価値特定情報から特定される遊技用価値の大きさを対応する遊技機における遊技に使用させるとともに該使用された遊技用価値の大きさを減算更新するための使用処理（貸出処理、Ｓｂ２１）を行う使用処理手段（制御ユニット３２８）を備え、
前記無効化処理手段（制御ユニット３２８；計数無効化処理）は、前記計数遊技媒体数特定情報から特定される計数遊技媒体数を無効化した（Ｓｄ７）前記一般用計数記録媒体（ビジターカード）に記録されている前記遊技用価値特定情報から遊技用価値が存在することが特定されたときに（Ｓｄ８でＹｅｓ）、該一般用計数記録媒体を前記計数記録媒体貯留部（カード貯留部３７０）に回収させずに前記計数記録媒体処理手段（カードリーダライタ３２７）から排出させることを特徴としている。
この特徴によれば、一般用計数記録媒体を排出し忘れたとしても、計数遊技媒体数は無効とされるものの、遊技用価値は無効とされることなくそのまま排出されるので、該一般用計数記録媒体の所有者は、排出された該一般用計数記録媒体の返却を受けて遊技用価値を遊技に使用できるので、遊技用価値について遊技者が不利益を被ることがないばかりか、これら所有者に返却する必要がある遊技用価値が存在する一般用計数記録媒体が自動的に判別されて排出されるので、これら遊技用価値が存在する一般用計数記録媒体の回収を簡便に実施することができる。
【手続補正７】
【補正対象書類名】明細書
【補正対象項目名】００１３
【補正方法】変更
【補正の内容】
【００１３】
本発明の手段５に記載の遊技用装置は、手段４に記載の遊技用装置であって、
前記計数記録媒体（会員カード、ビジターカード）には各計数記録媒体を個々に識別可能な記録媒体識別情報（（会員）カードＩＤ）が記録されており、前記計数記録媒体処理手段（カードリーダライタ３２７）から排出させる一般用計数記録媒体（ビジターカード）から読み出した前記記録媒体識別情報（カードＩＤ）と、当該遊技用装置を特定可能な装置識別情報（装置ＩＤ）を含む排出履歴情報を前記管理装置（管理コンピュータ１５０）に対して送信する排出履歴情報送信手段（制御ユニット３２８；計数無効化処理、Ｓｄ１１、通信部３３４）を備えることを特徴としている。
この特徴によれば、送信される排出履歴情報を管理装置にて管理することで、該排出履歴情報に基づき管理装置において、どの遊技用装置においてどの一般用計数記録媒体が排出されたかを特定することができ、遊技者への一般用計数記録媒体の返却を容易化することができる。
【手続補正８】
【補正対象書類名】明細書
【補正対象項目名】００１４
【補正方法】変更
【補正の内容】
【００１４】
本発明の手段６に記載の遊技用装置は、手段４、５のいずれかに記載の遊技用装置であって、
前記無効化処理された前記会員用計数記録媒体（会員カード）または前記一般用計数記録媒体（ビジターカード）の排出に基づいて、前記会員用計数記録媒体の排出と前記一般用計数記録媒体の排出とを異なる態様にて報知する報知手段（制御ユニット３２８、Ｓｄ１０，多機能ランプ３０１）を備えることを特徴としている。
この特徴によれば、無効化されて排出された計数記録媒体が、会員用計数記録媒体または一般用計数記録媒体のいずれであるのかを容易に確認できるので、計数記録媒体の分別回収を容易に行うことができる。
【手続補正９】
【補正対象書類名】明細書
【補正対象項目名】００１５
【補正方法】変更
【補正の内容】
【００１５】
本発明の手段７に記載の遊技用装置は、請求項１、手段１〜６のいずれかに記載の遊技用装置であって、
前記無効化処理にて無効化された計数遊技媒体数（持玉数）を特定可能な無効化情報を前記管理装置（管理コンピュータ１５０）に対して送信する無効化情報送信手段（制御ユニット３２８、Ｓｄ３、通信部３３４）を備えることを特徴としている。
この特徴によれば、管理装置において、個々の遊技用装置にて無効化された計数遊技媒体数を把握できるとともに、個々の遊技用装置にて無効化された計数遊技媒体数を集計することで、無効化された計数遊技媒体数の総数を正確且つ簡便に把握することができる。